(57)【要約】      （修正有）【課題】合成樹脂製のペン芯を備えた筆記具に適用する水性インキにおいて、ペン芯の濡れ性を向上させることができるとともに、筆記具内部の圧力変化に伴うインキ貯溜性とインキ回収性をともに満足し、更に、ペン先からのインキ吐出性が泡立ちによって安定せず筆跡にトギレや線飛びを生じることがない水性インキと直液式筆記具を提供する。【解決手段】ペン芯を介してペン先へインキを誘導する直液式筆記具に内蔵される水性インキ組成物であって、水と、着色剤と、ポリオキシエチレンポリオキシプロピレン鎖或いはポリオキシプロピレンポリオキシエチレン鎖からなる置換基（ブロックポリマー）を備えたアルキレンジアミン、フェニレンジアミン、アルキルアミン又はフェニルアミンの一種以上を含む水性インキ組成物。前記水性インキ組成物を内蔵した直液式筆記具。【選択図】なし【特許請求の範囲】
【請求項１】
多数の円盤体が櫛溝状の間隔を開け並列配置され、前記円盤体を軸方向に縦貫するスリット状のインキ誘導溝及び該溝より太幅の通気溝が設けられ、軸心にインキ貯蔵部からペン先へインキを誘導するためのインキ誘導芯が配置されてなるペン芯を介してペン先へインキを誘導する直液式筆記具に内蔵される水性インキ組成物であって、
水と、着色剤と、下記一般式（１）〜（４）で表すアミノ化合物のいずれか一種以上を含む筆記具用水性インキ組成物。
【化１】
2018104510.tif 000005
〔式中、Ｒは炭素数１〜３０のアルキル基又はフェニル基であり、ｍ及びｎは付加モル数を示す１〜１００の範囲である〕
【請求項２】
前記アミノ化合物がインキ組成物全量中０．０５〜５重量％の範囲で添加される請求項１記載の筆記具用水性インキ組成物。
【請求項３】
前記着色剤が蛍光顔料である請求項１又は２に記載の筆記具用水性インキ組成物。
【請求項４】
ｐＨが２〜７の範囲にある請求項１乃至３のいずれかに記載の筆記具用水性インキ組成物。
【請求項５】
前記請求項１乃至４のいずれかに記載の筆記具用水性インキ組成物を内蔵した直液式筆記具。
【請求項６】
ペン先と、インキ貯蔵部と、多数の円盤体が櫛溝状の間隔を開け並列配置され、前記円盤体を軸方向に縦貫するスリット状のインキ誘導溝及び該溝より太幅の通気溝が設けられ、軸心にインキ貯蔵部からペン先へインキを誘導するためのインキ誘導芯が配置されてなるペン芯を備え、前記円盤体がＡＢＳ樹脂成形物である請求項５記載の直液式筆記具。
【発明の詳細な説明】
【技術分野】
【０００１】
本発明は筆記具用水性インキ組成物とそれを内蔵した直液式筆記具に関する。更には、インキがインキ貯蔵部からペン芯を介してペン先へ誘導される直液式筆記具に適用される水性インキ組成物とそれを内蔵した直液式筆記具に関する。
【背景技術】
【０００２】
従来、多数の薄い円盤体が互いに僅かな間隙（櫛溝状間隔）を開け並列配置され、前記円盤体を軸方向に縦貫するスリット状のインキ誘導溝及び該溝より太幅の通気溝が設けられ、軸心にインキ貯蔵部からペン先へインキを誘導するためのインキ誘導芯が配置されてなる、所謂ペン芯を介して、インキ貯蔵部からペン先へインキを誘導するタイプの筆記具（直液式筆記具という）が広く使用されている。
通常ペン芯は合成樹脂材料から成形されるが、合成樹脂の表面は相対的に疎水性であるため、水性インキを適用する場合には、疎水性表面への親和性を付与するためにインキの表面張力を調整してペン芯の濡れ性を向上させる必要がある。インキの表面張力が高いとペン芯の濡れ性が悪く、ペン先からのインキ吐出性が安定せず筆跡にウスやトギレを生じることがある。これらを解消するべく、界面活性剤やエチレングリコールを水性インキ中に適用してインキの表面張力を下げる技術が適用されてきたが、表面張力を下げることでペン芯にインキが保持できなくなり、ペン先からのインキのボタ落ちを生じたり、紙によって筆跡が滲むことがあった。
そこでＨＬＢ１８以上の非イオン系界面活性剤やマルトシルサイクロデキストリンを水性インキ中に添加してペン芯の濡れ性を向上させる技術が開示されている（例えば、特許文献１、２参照）。
【先行技術文献】
【特許文献】
【０００３】
【特許文献１】特開平３−７９６８２号公報
【特許文献２】特開平５−１４０４９８号公報
【発明の概要】
【発明が解決しようとする課題】
【０００４】
前記特許文献１は、非イオン系界面活性剤としてＨＬＢが１８〜２０のものを適用することで、インキの表面張力を適度に下げて疎水性表面への親和性を付与し、ペン芯の濡れ性を向上させるものである。しかしながら、振動等によりインキ中に気泡が発生した際に泡立ち易くなるため、筆記時にこれらが安定なインキ吐出を妨げることで、筆跡にトギレや線飛び等を生じるものであった。
前記特許文献２は、マルトシルサイクロデキストリンによりインキ粘度を上げて疎水性表面への親和性を向上させることで、ペン芯の濡れ性とボタ落ち防止性を向上させるものである。そのため、櫛溝間でのインキ保持力（貯溜性）が向上するものの、インキ中の固形分が増加して粘度が高くなるため、櫛溝間に保持したインキがインキ貯蔵部に戻る回収性が得られ難く、温度変化やキャップ着脱によって筆記具内部（インキ貯蔵部内）の圧力変化が複数回繰り返されるとペン先からインキ漏れ（ボタ落ち現象）を生じるものであった。
【０００５】
本発明は、前述の合成樹脂製のペン芯を備えた筆記具に適用する水性インキにおいて、ペン芯の濡れ性を向上させることができるとともに、筆記具内部の圧力変化に伴うインキ貯溜性とインキ回収性をともに満足することでペン先からのインキボタ落ち現象を生じることがなく、更には、ペン先からのインキ吐出性が泡立ちによって安定せず筆跡にトギレや線飛びを生じることがない水性インキと直液式筆記具を提供するものである。
【課題を解決するための手段】
【０００６】
本発明は、多数の円盤体が櫛溝状の間隔を開け並列配置され、前記円盤体を軸方向に縦貫するスリット状のインキ誘導溝及び該溝より太幅の通気溝が設けられ、軸心にインキ貯蔵部からペン先へインキを誘導するためのインキ誘導芯が配置されてなるペン芯を介してペン先へインキを誘導する直液式筆記具に内蔵される水性インキ組成物であって、水と、着色剤と、下記一般式（１）〜（４）で表すアミノ化合物のいずれか一種以上を含むことを要件とする。
【化１】
2018104510.tif 000002
〔式中、Ｒは炭素数１〜３０のアルキル基又はフェニル基であり、ｍ及びｎは平均付加モル数を示す１〜１００の範囲である〕
更に、前記アミノ化合物がインキ組成物全量中０．０５〜５重量％の範囲で添加されること、前記着色剤が蛍光顔料であること、ｐＨが２〜７の範囲にあることを要件とする。
更には、前記いずれかの筆記具用水性インキ組成物を内蔵した直液式筆記具を要件とし、該筆記具が、ペン先と、インキ貯蔵部と、多数の円盤体が櫛溝状の間隔を開け並列配置され、前記円盤体を軸方向に縦貫するスリット状のインキ誘導溝及び該溝より太幅の通気溝が設けられ、軸心にインキ貯蔵部からペン先へインキを誘導するためのインキ誘導芯が配置されてなるペン芯を備え、前記円盤体がＡＢＳ樹脂成形物であることを要件とする。
【発明の効果】
【０００７】
本発明により、インキの表面張力を下げることなくペン芯の濡れ性を向上させることができるとともに、筆記具内部の圧力変化に伴うインキ貯溜性とインキ回収性をともに満足するペン芯性能に優れたものとなるため、温度変化やキャップ着脱が繰り返されることで生じる筆記具内部の圧力変化に対しても、ペン先からのインキボタ落ち現象が発生することがない水性インキと直液式筆記具となる。更に、振動等が加わってもインキが泡立つことがないため、筆記時のインキ吐出性が安定したものとなり、筆跡にトギレや線飛びを生じることがない水性インキと直液式筆記具となる。
【発明を実施するための形態】
【０００８】
本発明では、前記一般式（１）〜（４）で表すアミノ化合物のいずれか一種以上をインキ中に添加することで、インキの表面張力を下げることなくペン芯の濡れ性を向上させることで、筆記時のインキ吐出安定性を付与するものである。その際、インキの粘度が上昇したり、振動で泡立ちを生じることがないため、従来の不具合を発生することなく、高いペン芯性能が発現できる。
【０００９】
前記アミノ化合物は、ポリオキシエチレンポリオキシプロピレン鎖又はポリオキシプロピレンポリオキシエチレン鎖からなる置換基（ブロックポリマー）を備えたアルキレンジアミン又はフェニレンジアミン、アルキルアミン又はフェニルアミンである。
本発明のアミノ化合物は、ポリオキシエチレンとポリオキシプロピレンからなる置換基（ブロックポリマー）を複数備えるため、ホモポリマー置換基を備えた汎用のアミノ化合物等に比べてペン芯濡れ性を飛躍的に向上させるとともに、インキ中に添加しても表面張力の低下や粘度上昇が生じない。更に、ホモポリマー置換基を備えた汎用のアミノ化合物等に比べて、水性インキであっても振動等によって泡立つことがなくなるため、ペン芯を備えた筆記具に適用するのに最適なものである。
【００１０】
好適な化合物として具体的には、炭素数１〜３０、好ましくは炭素数２〜２２のアルキレンジアミン−ポリオキシプロピレンポリオキシエチレンブロックポリマー、炭素数１〜３０、好ましくは炭素数２〜２２のアルキレンジアミン−ポリオキシプロピレンポリオキシエチレンブロックポリマーのリバースタイプ、フェニレンジアミン−ポリオキシプロピレンポリオキシエチレンブロックポリマー、フェニレンジアミン−ポリオキシプロピレンポリオキシエチレンブロックポリマーのリバースタイプ、炭素数１〜３０のアルキルアミン−ポリオキシプロピレンポリオキシエチレンブロックポリマー、炭素数１〜３０のアルキルアミン−ポリオキシプロピレンポリオキシエチレンブロックポリマーのリバースタイプ、フェニルアミン−ポリオキシプロピレンポリオキシエチレンブロックポリマー、フェニルアミン−ポリオキシプロピレンポリオキシエチレンブロックポリマーのリバースタイプが挙げられる。
【００１１】
前記前記アミノ化合物はインキ組成物全量中０．０１〜５重量％、好ましくは０．１〜３重量％の範囲で添加される。
０．０１重量％未満では所期の効果が長期的には得られ難く、又、５重量％を越えて添加しても効果の向上は認められないので、これ以上の添加を要しない。
【００１２】
前記着色剤としては、水性媒体に溶解もしくは分散可能な染料及び顔料がすべて使用可能であり、その具体例を以下に例示する。
前記染料としては、酸性染料、塩基性染料、直接染料等を使用することができる。
酸性染料としては、ニューコクシン（Ｃ．Ｉ．１６２５５）、タートラジン（Ｃ．Ｉ．１９１４０）、アシッドブルーブラック１０Ｂ（Ｃ．Ｉ．２０４７０）、ギニアグリーン（Ｃ．Ｉ．４２０８５）、ブリリアントブルーＦＣＦ（Ｃ．Ｉ．４２０９０）、アシッドバイオレット６Ｂ（Ｃ．Ｉ．４２６４０）、ソルブルブルー（Ｃ．Ｉ．４２７５５）、ナフタレングリーン（Ｃ．Ｉ．４４０２５）、エオシン（Ｃ．Ｉ．４５３８０）、フロキシン（Ｃ．Ｉ．４５４１０）、エリスロシン（Ｃ．Ｉ．４５４３０）、ニグロシン（Ｃ．Ｉ．５０４２０）、アシッドフラビン（Ｃ．Ｉ．５６２０５）等が用いられる。
塩基性染料としては、クリソイジン（Ｃ．Ｉ．１１２７０）、メチルバイオレットＦＮ（Ｃ．Ｉ．４２５３５）、クリスタルバイオレット（Ｃ．Ｉ．４２５５５）、マラカイトグリーン（Ｃ．Ｉ．４２０００）、ビクトリアブルーＦＢ（Ｃ．Ｉ．４４０４５）、ローダミンＢ（Ｃ．Ｉ．４５１７０）、アクリジンオレンジＮＳ（Ｃ．Ｉ．４６００５）、メチレンブルーＢ（Ｃ．Ｉ．５２０１５）等が用いられる。
直接染料としては、コンゴーレッド（Ｃ．Ｉ．２２１２０）、ダイレクトスカイブルー５Ｂ（Ｃ．Ｉ．２４４００）、バイオレットＢＢ（Ｃ．Ｉ．２７９０５）、ダイレクトディープブラックＥＸ（Ｃ．Ｉ．３０２３５）、カヤラスブラックＧコンク（Ｃ．Ｉ．３５２２５）、ダイレクトファストブラックＧ（Ｃ．Ｉ．３５２５５）、フタロシアニンブルー（Ｃ．Ｉ．７４１８０）等が用いられる。
【００１３】
前記顔料としては、カーボンブラック、群青などの無機顔料や銅フタロシアニンブルー、ベンジジンイエロー等の有機顔料の他、予め界面活性剤等を用いて微細に安定的に水媒体中に分散された水分散顔料製品等が用いられ、例えば、Ｃ．Ｉ．Ｐｉｇｍｅｎｔ  Ｂｌｕｅ  １５：３Ｂ〔品名：Ｓ．Ｓ．Ｂｌｕｅ  ＧＬＬ−Ｅ、顔料分２６．３％、山陽色素株式会社製〕、Ｃ．Ｉ．Ｐｉｇｍｅｎｔ  Ｒｅｄ  １４６〔品名：Ｓ．Ｓ．Ｐｉｎｋ  ＦＢＬ、顔料分２１．５％、山陽色素株式会社製〕、Ｃ．Ｉ．Ｐｉｇｍｅｎｔ  Ｙｅｌｌｏｗ  ８１〔品名：ＴＣ  Ｙｅｌｌｏｗ  ＦＧ、顔料分約３０％、大日精化工業株式会社製〕、Ｃ．Ｉ．Ｐｉｇｍｅｎｔ  Ｒｅｄ２２０／１６６〔品名：ＴＣ  Ｒｅｄ  ＦＧ、顔料分約３５％、大日精化工業株式会社製〕等を挙げることができる。
蛍光顔料としては、各種蛍光性染料を樹脂マトリックス中に固溶体化した合成樹脂微細粒子状の蛍光顔料が使用できる。
その他、パール顔料、金色、銀色のメタリック顔料、蓄光性顔料、修正ペン等に用いられる二酸化チタン等の白色顔料、アルミニウム等の金属粉、更には熱変色性組成物、光変色性組成物、香料等を直接又はマイクロカプセル化したカプセル顔料等を例示できる。
【００１４】
前記熱変色性組成物としては、（イ）電子供与性呈色性有機化合物、（ロ）電子受容性化合物、（ハ）前記両者の呈色反応の生起温度を決める反応媒体からなる可逆熱変色性組成物が好適であり、マイクロカプセルに内包させて可逆熱変色性マイクロカプセル顔料として適用される。
前記可逆熱変色性組成物としては、特公昭５１−４４７０６号公報、特公昭５１−４４７０７号公報、特公平１−２９３９８号公報等に記載された、所定の温度（変色点）を境としてその前後で変色し、高温側変色点以上の温度域で消色状態、低温側変色点以下の温度域で発色状態を呈し、前記両状態のうち常温域では特定の一方の状態しか存在せず、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性（ΔＨ＝１〜７℃）を有する可逆熱変色性組成物をマイクロカプセル中に内包させた加熱消色型のマイクロカプセル顔料が適用できる。
更に、特公平４−１７１５４号公報、特開平７−１７９７７７号公報、特開平７−３３９９７号公報、特開平８−３９９３６号公報等に記載されている比較的大きなヒステリシス特性（ΔＨ＝８〜５０℃）を示すものや、特開２００６−１３７８８６号公報、特開２００６−１８８６６０号公報、特開２００８−４５０６２号公報、特開２００８−２８０５２３号公報等に記載されている大きなヒステリシス特性を示す、即ち、温度変化による着色濃度の変化をプロットした曲線の形状が、温度を変色温度域より低温側から上昇させていく場合と逆に変色温度域より高温側から下降させていく場合とで大きく異なる経路を辿って変色し、完全発色温度以下の低温域での発色状態、又は完全消色温度以上の高温域での消色状態が、特定温度域で色彩記憶性を有する可逆熱変色性組成物を内包させ加熱消色型のマイクロカプセル顔料も適用できる。
尚、前記色彩記憶性を有する可逆熱変色性組成物として具体的には、完全発色温度を冷凍室、寒冷地等でしか得られない温度、即ち−５０〜０℃、好ましくは−４０〜−５℃、より好ましくは−３０〜−１０℃、且つ、完全消色温度を摩擦体による摩擦熱、ヘアドライヤー等身近な加熱体から得られる温度、即ち５０〜９５℃、好ましくは５０〜９０℃、より好ましくは６０〜８０℃の範囲に特定し、ΔＨ値を４０〜１００℃に特定することにより、常態（日常の生活温度域）で呈する色彩の保持に有効に機能させることができる。
【００１５】
尚、前記着色剤のうち蛍光顔料を用いたインキでは、表面張力を下げることで筆跡が滲み易くなる傾向があるため、表面張力によらずペン芯性能を付与できる本発明の構成が特に有用なものとなる。そのため、滲みのない蛍光色の筆跡が得られる直液式筆記具を構成できるようになる。
【００１６】
前記着色剤は一種又は二種以上を適宜混合して使用することができ、インキ組成中１乃至２５重量％、好ましくは２乃至１５重量％の範囲で用いられる。
また、着色剤として顔料を用いた場合、必要に応じて顔料分散剤を添加できる。前記顔料分散剤としてはアニオン、ノニオン等の界面活性剤、ポリアクリル酸、スチレンアクリル酸等のアニオン性高分子、ＰＶＰ、ＰＶＡ等の非イオン性高分子等が用いられる。
【００１７】
更に必要に応じて、水に相溶性のある従来汎用の水溶性有機溶剤を用いることができる。具体的には、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ポリエチレングリコール、プロピレングリコール、ブチレングリコール、エチレングリコールモノメチルエーテル、エチレングリコールモノエチルエーテル、ジエチレングリコールモノメチルエーテル、ジエチレングリコールモノエチルエーテル、エチレングリコールモノメチルエーテルアセテート、スルフォラン、２−ピロリドン、Ｎ−メチル−２−ピロリドン等が挙げられる。
尚、前記水溶性有機溶剤は一種又は二種以上を併用して用いることができ、２〜６０重量％、好ましくは５〜３５重量％の範囲で用いられる。
【００１８】
更に、紙面への固着性や粘性を付与するために水溶性樹脂を添加することもできる。前記水溶性樹脂としては、アルキッド樹脂、アクリル樹脂、スチレンマレイン酸共重合物、セルロース誘導体、ポリビニルピロリドン、ポリビニルアルコール、デキストリン等が挙げられる。前記水溶性樹脂は一種又は二種以上を併用することができ、インキ組成中１乃至３０重量％の範囲で用いられる。
【００１９】
その他、必要に応じて、炭酸ナトリウム、リン酸ナトリウム、酢酸ソーダ等の無機塩類、水溶性のアミン化合物等の有機塩基性化合物等のｐＨ調整剤、トリルトリアゾール、サポニン等の防錆剤、石炭酸、１、２−ベンズチアゾリン３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等の防腐剤或いは防黴剤、尿素、ソルビット、マンニット、ショ糖、ぶどう糖、還元デンプン加水分解物、ピロリン酸ナトリウム等の湿潤剤、消泡剤、インキの浸透性を向上させるフッ素系界面活性剤やノニオン系界面活性剤を使用してもよい。
更に、潤滑剤を添加することができ、金属石鹸、ポリアルキレングリコール脂肪酸エステル、エチレンオキサイド付加型カチオン活性剤、リン酸エステル系活性剤、ジカルボン酸型界面活性剤、β−アラニン型界面活性剤、２，５−ジメルカプト−１，３，４−チアジアゾールやその塩やオリゴマー、３−アミノ−５−メルカプト−１，２，４−トリアゾール、チオカルバミン酸塩、ジメチルジチオカルバミン酸塩、Ｎ−アシル−Ｌ−グルタミン酸とＬ−リジンとの縮合物やその塩等が用いられる。
【００２０】
更に、必要に応じて剪断減粘性付与剤を添加し、インキに適当な粘性を与えて実用に供することができる。用いられる剪断減粘性付与剤は従来公知のものから適宜選択することができ、その具体例としては、キサンタンガム、サクシノグリカン、カラギーナン等の多糖類、ポリアクリル酸、架橋型アクリル酸、ポリビニルアセトアミド、非イオン性界面活性剤、アニオン性界面活性剤、会合性ウレタンエマルジョン等が挙げられ、単独或いは混合して用いられる。
【００２１】
前記材料から得られる水性インキ組成物は、汎用の水性筆記具に適用できるｐＨに調整されるが、ｐＨ２〜７の酸性〜中性領域、好ましくは５〜６．９の弱酸性領域に調整することが望ましい。
前記ｐＨに調整することで、着色剤として蛍光顔料を用いた際に凝集や変色を生じる虞がなく、長期間安定したインキ状態を維持できる。そのため、高いペン芯性能と筆記性能の両立が長期に亘って可能になる。
【００２２】
前記水性インキ組成物は、各種チップを筆記先端部に装着し、軸筒内部（インキ貯蔵部）に直接インキを収容し、合成樹脂製の櫛溝状インキ流量調節部材（ペン芯）を介在させる構造を有するマーキングペン、ボールペン、筆ペン、万年筆等の汎用のペン芯式筆記具に充填される。
尚、櫛溝状インキ流量調節部材（ペン芯）は、多数の円盤体が櫛溝状の間隔を開け並列配置され、前記円盤体を軸方向に縦貫するスリット状のインキ誘導溝及び該溝より太幅の通気溝が設けられ、軸心にインキ貯蔵部からペン先へインキを誘導するためのインキ誘導芯が配置されてなる筆記具部材である。
【００２３】
前記チップのうち、マーキングペンチップとしては、例えば、繊維チップ、フェルトチップ、プラスチックチップ、毛筆等が適用でき、ボールペンチップとしては、金属製のパイプの先端近傍を外面より内方に押圧変形させたボール抱持部にボールを抱持してなるチップ、金属材料をドリル等による切削加工により形成したボール抱持部にボールを抱持してなるチップ、金属又はプラスチック製チップ内部に樹脂製のボール受け座を設けたチップ、或いは、前記チップに抱持するボールをバネ体により前方に付勢させたもの等が適用できる。尚、前記ボールは、超硬合金、ステンレス鋼、ルビー、セラミック、樹脂、ゴム等が適用でき、直径０．１ｍｍ〜２．０ｍｍの範囲のものが好適に用いられる。
また、万年筆形態のチップ（ペン体）としては、ステンレス板、金合金板等の金属板を先細テーパー状に裁断し、屈曲又は湾曲したものや、ペン先形状に樹脂成形したもの等が適用できる。尚、前記ペン体には中心にスリットを設けたり、先端に玉部を設けることもできる。
【００２４】
前記ペン芯の材質としては、多数の円盤体を櫛溝状とした構造に射出成形できる合成樹脂であれば汎用のポリカーボネート、ポリプロピレン、ポリエチレン、アクリロニトリル−ブタジエン−スチレン共重合体（ＡＢＳ）等いずれを用いることもできるが、特に成形性が高く、ペン芯性能が得られやすい点からアクリロニトリル−ブタジエン−スチレン共重合体（ＡＢＳ樹脂）が好適である。
【００２５】
更に、前記ペン芯後方に配設され、水性インキを収容するインキ貯蔵部は、着脱可能な構造としてカートリッジ形態とすることもできる。この場合、筆記具本体が、収容するインキを使い切った後に新たなカートリッジと取り替えて使用されるため、筆記具内の内圧変化を受ける回数がより多くなる。そのため、本発明のインキ構成の適用がより有用なものとなる。
【実施例】
【００２６】
以下に実施例を説明するが、本発明はこれらの実施例に限定されるものではない。
以下の表に実施例及び比較例の水性インキの組成を示す。尚、表中の組成の数値は重量部を示す。また、表面張力は、協和界面科学（株）製の表面張力計を用いて測定した。
【００２７】
【表１】
2018104510.tif 000003
【００２８】
表中の原料の内容について注番号に沿って説明する。
（１）シンロイヒ（株）製、商品名：シンロイヒカラーＳＦ−５０１５（顔料成分：３０％水溶液）
（２）日本蛍光化学（株）製、商品名：ＮＫＷ−３２０７Ｅ（顔料成分：３７％水溶液）
（３）山陽色素（株）製、商品名：サンダイスーパーブルーＧＬＬ−Ｅ（顔料成分：２６．３％水溶液）
（４）エチレンジアミン−ポリオキシプロピレン−ポリオキシエチレンブロックポリマー〔一般式（１）におけるＲ＝Ｃ２Ｈ４、平均付加モル数ｍ＝５１．７、ｎ＝４５．５〕、（株）ＡＤＥＫＡ製、商品名：プルロニックＴＲ−７０４
（５）エチレンジアミン−ポリオキシプロピレン−ポリオキシエチレンブロックポリマーのリバースタイプ〔一般式（２）におけるＲ＝Ｃ２Ｈ４、平均付加モル数ｍ＝１１．８５、ｎ＝１０．４〕、（株）ＡＤＥＫＡ製、商品名：プルロニックＴＲ−９１３Ｒ
（６）ポリオキシエチレンポリオキシプロピレンラウリルアミン〔一般式（３）におけるＲ＝Ｃ１２Ｈ２５、平均付加モル数ｍ＝３、ｎ＝５〕
（７）ポリオキシエチレンポリオキシプロピレン牛脂アミン〔一般式（３）におけるＲ＝Ｃ１８Ｈ３７、平均付加モル数ｍ＝３０、ｎ＝５〕
（８）ポリオキシエチレンポリオキシプロピレンラウリルアミンのリバースタイプ〔一般式（４）におけるＲ＝Ｃ１２Ｈ２５、平均付加モル数ｍ＝５、ｎ＝３〕
（９）ポリオキシエチレンステアリルアミン、日油（株）製、商品名：ナイミーンＳ−２１０
（１０）日光ケミカルズ（株）製、商品名：ニッコールＢＰＳ−３０
【００２９】
インキの調製
水に各成分を添加し、２０℃でディスパーにて６０００ｒｐｍで１時間攪拌し、濾過することで各インキを調製した。
【００３０】
筆記具の作製
前記各インキ組成物をマーキングペン形態のペン先を有するペン芯式筆記具（パイロットコーポレーション社製、ＳＷ−ＶＰＰ）外装のインキ貯蔵部に０．５ｇ充填し、キャップを嵌合することで試料筆記具を作製した。尚、前記筆記具のペン芯はＡＢＳ樹脂材料を射出成形することで形成した。
【００３１】
前記試料用筆記具を用いて以下の試験を行った。
ペン芯性能試験
ペン先下向き状態で保持した各試料筆記具を、キャップ嵌合状態で０℃、１時間放置した後、ペン先下向き状態のままキャップを外して３０℃まで上昇させた際のペン芯櫛溝部へのインキ流入状態及びペン先からのインキボタ落ちの有無を観察した。更に、再び０℃に冷却した際にペン芯櫛溝部からインキ貯蔵部へのインキの回収状態を観察した。
撹拌試験
各インキをガラス瓶に封入し、シェーカーにて１分間撹拌した後に静置し、インキの状態を目視にて確認した。
前記各試験の結果を以下の表に示す。
【００３２】
【表２】
2018104510.tif 000004
【００３３】
尚、試験結果の評価は以下の通りである。
ペン芯性能試験
○：円滑に流入し、ボタ落ちは発生しなかった。また、ペン芯内の全てのインキを良好に回収した。
×：流入が変則的で、ボタ落ちが発生した、またはインキが回収されず、ペン芯櫛溝部内に残留した。
撹拌試験
○：泡立ちはほとんど見られなかった。
△：泡立つが、すぐに消えた。
×：静置して１０分後でも泡が消えなかった。